(57)【要約】【課題】ビニールハウスの形態を保持した状態で別の圃場に移動できる移動式ビニールハウスを提供すること。【解決手段】  ビニールハウスの本体の下部に移動用車輪を複数個配設し、ビニールハウスの本体は、ビニールハウスの形態を保持した状態で移動用車輪により左右一対のレール上を移動可能とした移動式ビニールハウスである。また、レール間にはビニールハウス本体内で生育可能な圃場よりも広い面積を有する圃場を配設し、ビニールハウスの本体は、ビニールハウス本体内で生育可能な圃場以外の圃場にもビニールハウスの形態を保持した状態で移動可能とした移動式ビニールハウスである。【選択図】図１
2012024060.tif 000002
【特許請求の範囲】
【請求項１】
ビニールハウスの本体の下部に移動用車輪を複数個配設し、
ビニールハウスの本体は、ビニールハウスの形態を保持した状態で移動用車輪により左右一対のレール上を移動可能としたことを特徴とする移動式ビニールハウス。
【請求項２】
レール間にはビニールハウス本体内で生育可能な圃場よりも広い面積を有する圃場を配設し、
ビニールハウスの本体は、ビニールハウス本体内で生育可能な圃場以外の圃場にもビニールハウスの形態を保持した状態で移動可能としたことを特徴とする請求項１に記載の移動式ビニールハウス。
【請求項３】
レールに沿って所定間隙を有して複数個の繋止具を配設し、
ビニールハウス本体は、各繋止具によりレール上にて繋止可能としたことを特徴とする請求項１又は請求項２に記載の移動式ビニールハウス。
【発明の詳細な説明】
【技術分野】
【０００１】
本発明は、圃場の上に温室で農作物を生育可能とするビニールハウスに関するものである。
【背景技術】
【０００２】
従来、ビニールハウスは、鋼材を躯体として合成樹脂のフィルムで被覆する構造を有しており、雨や結露による農作物への影響を防ぐ効果を有する。しかし、従来のビニールハウスでは、一定箇所に固定された状態であるので連作せざるを得ず、この連作のため、収量が低下する問題がある。
【０００３】
そこで、特許文献１には、一定箇所に固定された圃場以外の圃場に移動することができる農業用移動式ハウスが開示されている。この特許文献１に記載のビニールハウスは、ハウスフレームと、入口用枠と、後方枠と、接続金具と、ビニールシートと、シート張りバンドと、らせん杭が組立分解自在の構造に形成され、必要に応じて所望する箇所に移動して使用できるように構成されている。
【先行技術文献】
【特許文献】
【０００４】
【特許文献１】特開２００３−１６９５４８号公報
【発明の概要】
【０００５】
ところが、特許文献１に記載のビニールハウスは、別の場所に移動するには、ビニールハウスの本体を構成する部品を取外しして、移動した後にまたそれらの部品を組み立てる作業が必要であった。このため、取外しする作業に手間が生じていた。
【０００６】
また、前記特許文献１に記載のビニールハウスとは異なり、広い圃場を覆うビニールハウスを設置すると、ビニールハウス内を温室するにはその全体を温室にする必要があるので、生育に必要な圃場以外にも温室にする必要があり、暖房機の無駄な消費量が増える問題が生じる。
【０００７】
そこで、本願発明は、ビニールハウスの形態を保持した状態で別の圃場に移動できる移動式ビニールハウスを提供することを目的とする。
【課題を解決するための手段】
【０００８】
請求項１に記載の発明は、ビニールハウスの本体の下部に移動用車輪を複数個配設し、ビニールハウスの本体は、ビニールハウスの形態を保持した状態で移動用車輪により左右一対のレール上を移動可能としたことを特徴とする移動式ビニールハウスである。
【０００９】
請求項２に記載の発明は、レール間にはビニールハウス本体内で生育可能な圃場よりも広い面積を有する圃場を配設し、ビニールハウスの本体は、ビニールハウス本体内で生育可能な圃場以外の圃場にもビニールハウスの形態を保持した状態で移動可能としたことを特徴とする請求項１に記載の移動式ビニールハウスである。
【００１０】
請求項３に記載の発明は、レールに沿って所定間隙を有して複数個の繋止具を配設し、ビニールハウス本体は、各繋止具によりレール上にて繋止可能としたことを特徴とする請求項１又は請求項２に記載の移動式ビニールハウスである。
【発明の効果】
【００１１】
請求項１に記載の移動式ビニールハウスは、ビニールハウスの形態を保持した状態で、移動できるので、一定箇所の圃場にも温室で農作物の生育が可能となる。また、ビニールハウスの形態を保持した状態で移動できるので、従来のように部品を取外しする手間生じず移動することができる。また、期間毎に圃場を移動して農作物を生育できるので、同じ土地で連作する必要もなく、収量も上げる効果を有する。
【００１２】
請求項２に記載の移動式ビニールハウスは、固定された圃場以外にも移動させて、移動した圃場で農作物を生育することができる。例えば、季節毎に、レール上のいずれかにおいてビニールハウス本体を移動させることにより、一定箇所に固定された圃場以外にも農作物の生育をすることができる。
【００１３】
請求項３に記載の移動式ビニールハウスは、移動するレールに沿って、所定間隔を有して複数個の繋止具を配設しているので、レール間に配設されている圃場内であればどの圃場においてもビニールハウス本体を移動させて、このビニールハウス本体を繋ぎ止めることができる。
【図面の簡単な説明】
【００１４】
【図１】本発明に係る実施形態の移動式ビニールハウスの全体構造を示す正面図である。
【図２】本発明に係る実施形態の移動式ビニールハウスの全体構造を示す側面図である。
【図３】本発明に係る実施形態の移動式ビニールハウスの移動車輪の構造を示す正面図である。
【図４】本発明に係る実施形態の移動式ビニールハウスの移動車輪と繋止具の構造を示す側面図である。
【図５】本発明に係る実施形態の移動式ビニールハウスの移動の状態を説明する斜視図である。
【図６】本発明に係る実施形態の移動式ビニールハウスの移動の状態を説明する平面図である。
【発明を実施するための形態】
【００１５】
本発明に係る移動式ビニールハウスは、ビニールハウスの本体の下部に移動用車輪を複数個配設し、ビニールハウスの本体は、ビニールハウスの形態を保持した状態で移動用車輪によりレール上を移動可能としている。
【００１６】
ここで、ビニールハウスの形態を保持した状態とは、鋼材を躯体として合成樹脂のフィルムで被覆した状態のままで別の圃場に移動できることをいう。すなわち、ビニールハウスを移動するのに、ビニールハウス本体を構成する部品などを取外しすることなく、移動することをいう。
【００１７】
また、別の特徴的構造として、レール間に各期間毎に生育できる複数の土壌を配設し、ビニールハウスの本体は、各土壌毎にビニールハウスの形態を保持した状態で移動して農作物を生育可能としている。
【００１８】
これにより、本実施形態におけるビニールハウス本体は、ビニールハウスの形態を保持した状態で移動できるので、一定箇所の圃場にも温室で農作物の生育が可能となる。また、ビニールハウスの形態を保持した状態で移動できるので、従来のように部品を取外しする手間生じずに移動することができる。
【００１９】
さらに、別の特徴的構造として、レールに沿って所定間隙を有して複数個の繋止具を配設し、ビニールハウス本体は、各繋止具によりレール上にて繋止可能としている。
【００２０】
これにより、本実施形態におけるビニールハウス本体は、レール間に配設されている圃場内であればどの圃場においてもビニールハウス本体を移動させて、このビニールハウス本体を繋ぎ止めることができる。
【実施例】
【００２１】
以下に、本発明の実施例について具体的に説明する。
実施例における移動式ビニールハウスは、図１〜図２に示すように、通常のビニールハウスと同じように、小屋の形状のビニールハウス本体Ａを有する。
【００２２】
ビニールハウス本体Ａは、図１に示すように、棟本体を構成する棟本体部１１と、その棟本体部の外方にて合成樹脂製のフィルムを支持しながら張設するフィルム張設部１２とにより構成されている。
【００２３】
棟本体部１１は、ビニールハウス本体Ａの骨組みを形成するもので、底枠１３と、支柱１４と、梁１５と、垂木１６と、棟木１７とにより構成されている。各部材は、みぞ形鋼で形成されている。
【００２４】
底枠１３は、ビニールハウスの長さ方向に伸延して配設された縦フレーム１３ａ（図３に示す）と、幅方向に伸延して配設された横フレーム１３ｂ（図４に示す）とにより平面視枠形状に構成されている。
【００２５】
図１に示すように、フィルム張設部１２には、前側壁部１８ａと後側壁部１８ｂと左側壁部１９ａと右側壁部１９ｂとの各壁部と、屋根部２０とのそれぞれに合成樹脂製のフィルムが外側から被覆されている。
【００２６】
また、図１及び図２に示すように、前側壁部１８ａ及び後側壁部１８ｂには、扉体２１，２１を配設している。扉体２１，２１の開閉によりビニールハウス本体Ａ内に人が自由に出入り自由としている。また、前側壁部１８ａ及び後側壁部１８ｂには、扉体２１の上方に換気扇２２本体が据え付けられている。
【００２７】
また、左側壁部１９ａ及び右側壁部１９ｂには、ビニールハウス本体Ａ内を換気するために、合成樹脂製のフィルム２４の一部を巻き上げる巻上装置２３が配設されている。        
【００２８】
さらに、ビニールハウス本体Ａの内部には、図示しない暖房機などを配設することができる。この暖房機を設けることにより、ビニールハウス本体Ａの内部を温室にして温室栽培することができる。
【００２９】
上記のように、ビニールハウス本体Ａ内で温室栽培するには、ビニールハウス本体Ａ内を略密閉された空間にする必要がある。レールＲ間には、ビニールハウス本体Ａ下部と圃場との間に隙間が生じるので、この隙間を埋めるように塞ぎ板２５を配設するようにしている。
【００３０】
ビニールハウス本体Ａの下部には、移動車輪３０が配設されている。移動車輪３０は、図３及び図４に示すように、底枠１３の横フレーム１３ｂの下部に所定間隔を有して離間して配設されている。移動車輪３０は、図３に示すように、底枠１３より下方に左右一対の支持ブラケット３１，３１を突出させ、その支持ブラケット３１，３１間に車軸３２を配設し、その車軸３２を軸として車輪３３を回転自在に配設している。
【００３１】
レールＲは、図１に示すように、左右一対で構成され、その長さ方向に伸延して設けられる。レールＲは、図３に示すように、打設されたコンクリート台座３４の上に沿って、上向きに凸状として配設されている。なおレールＲの形状は、上記のような上向き凸状に形成されたものに限られず、断面視凹形状の溝を有するものでもよい。
【００３２】
そして、上向きに凸状に突出したレールＲ上に、前記移動車輪３０を載置している。これにより、ビニールハウス本体ＡはレールＲ上において移動可能としている。
【００３３】
また、図４に示すように、レールＲに沿って所定間隙を有して複数個の繋止具３５を配設している。繋止具３５は、コンクリート台座３４の側壁面に配設された固定具３６と、固定具３６と取付具３７を連結する連結具３８とにより構成されている。
【００３４】
固定具３６は、コンクリート台座３４に固定するための固定片３６ａと連結具３８を取り付けるための取付片３６ｂとを有する。固定片３６ａは、コンクリート台座３４の側面と平行に垂設された面を有し、その面にコンクリート台座３４に取り付けるためのボルト挿入孔３６ｃが穿設されている。また、取付片３６ｂは上記固定片３６ａより垂直に配設された面を有し、その面に挿入孔３６ｄが穿設されている。
【００３５】
取付具３７は、ビニールハウス本体Ａの底枠１３の横フレーム１３ｂの側部に所定間隔を有して複数個配設されている。取付具３７には、連結具３８としての長ボルト３８ａの基端側を挿入する挿入する挿入孔３７ａが穿設されている。連結具３８は、長ボルト３８ａで構成されている。
【００３６】
そして、繋止具３５は、この長ボルト３８ａを固定具３６の挿入孔３６ｄと取付具３７の挿入孔３７ａとに挿入し、固定具３６側の取付片３６ｂの上面側と下面側にナット３９で固定することにより、ビニールハウス本体ＡをレールＲ上において繋止するようにしている。
【００３７】
また、上記繋止具３５に加えて、ビニールハウス本体Ａ側方の地面に図示しないアンカー杭を打ち、そのアンカー杭とビニールハウス本体Ａの側壁部上部との間に図示しない連結チェーンを配設することによりビニールハウス本体ＡをレールＲ上において繋止するようにしてもよい。
【００３８】
さらに、底枠１３の左右側部にはゴムカバー４０が固設されている。ゴムカバー４０は、その上端部が底枠１３の横フレーム１３ｂの側壁部に固定され、下端部は自由端とし、中途部はコンクリート台座３４の上部角部に持たせ掛けている。
【００３９】
ビニールハウス本体Ａは、ビニールハウスの形態を保持した状態で移動できるので、移動時の部品などを取外し及び取り付ける手間が生じない。また、期間毎にビニールハウスを移動して農作物を生育できるので、同じ土地で連作する必要もなく、収量も上げる効果を有する。
【００４０】
そして、左右一対で構成したレールＲ間には、ビニールハウス本体Ａ内で農作物を生育する圃場Ｇが配設される。圃場Ｇは、ビニールハウスで生育可能な圃場Ｇ１と、その生育可能な圃場以外の圃場Ｇ２とすることができる。ビニールハウス本体Ａ内で生育可能な圃場Ｇ１よりも広い面積を有する圃場Ｇ２を配設する。
【００４１】
以下、上記のような構成を有するビニールハウス本体Ａにおいて、本実施例におけるビニールハウス本体Ａを移動する方法について図５及び図６を参照して説明する。
【００４２】
まず、圃場Ｇ１を有するレールＲ上で繋ぎ止めされているビニールハウス本体Ａにおいて、固定具３６と取付具３７との間に連結して留められた連結具３８としての長ボルト３８ａを取外しする。
【００４３】
次いで、ビニールハウス本体Ａの前側壁部１８ａの下部と、後側壁部１８ｂの下部とに設置していた塞ぎ板２５を取外しする。また、ビニールハウス本体Ａ内部で移動時に支障があるものを取外しする。
【００４４】
そして、ビニールハウス本体Ａを、図５及び図６に示すように、人手や牽引物、現在使用していた圃場Ｇ１から別の圃場Ｇ２に移動させる。人手の場合は、ビニールハウス本体Ａを移動したい方向に手で押すなどして移動させる。牽引物を使用する場合は、移動側より牽引してビニールハウス本体Ａを移動させる。
【００４５】
ビニールハウス本体Ａを移動させた後は、その移動させた場所に設置されている固定具３６と、ビニールハウス本体Ａ側に設置されている取付具３７との間に、長ボルト３８ａを連結することにより、ビニールハウス本体Ａを別の圃場Ｇ２にて繋止具３５にて繋止する。
【００４６】
このようにして、本実施例におけるビニールハウス本体Ａは、ビニールハウスの形態を保持した状態で移動できるので、移動時にビニールハウスを構成する部品を取外しする手間が生じない。
【００４７】
また、本実施例におけるビニールハウスは、固定された圃場Ｇ以外にも移動させて、移動した圃場Ｇで農作物を生育することができる。また、例えば、圃場Ｇを変更して移動しながら期間毎に農作物を生育できるので、同じ土地で連作する必要もなく、収量も上げることができる。
【符号の説明】
【００４８】
Ａ  ビニールハウス本体
Ｒ レール
Ｇ  圃場
３０  移動車輪
３５  繋止具
【図１】
2012024060.tif 000003
【図２】
2012024060.tif 000004
【図３】
2012024060.tif 000005
【図４】
2012024060.tif 000006
【図５】
2012024060.tif 000007
【図６】
2012024060.tif 000008